(57)【要約】      （修正有）【課題】車両を駐車スペースに正確に駐車させることができる駐車支援装置を提供する。【解決手段】目標駐車スペースへの車両の駐車を支援する駐車支援装置１であって、前記車両の周囲を撮像した撮像画像に基づいて目標駐車スペースを画像認識する画像認識部２２と、前記画像認識部２２によって画像認識された前記目標駐車スペースに係る駐車スペース情報４０を記憶する記憶部２３と、前記画像認識部の画像認識によって認識されなかった不明部分が前記目標駐車スペースに存在する場合に、前記不明部分を、前記記憶部２３に記憶されている前記駐車スペース情報４０に基づいて補完する補完部２６と、を備える構成とした。【選択図】図２
2019188958.tif 000002
【特許請求の範囲】
【請求項１】
駐車スペースへの車両の駐車を支援する駐車支援装置であって、
前記車両の周囲を撮像した撮像画像に基づいて駐車スペースを画像認識する画像認識部と、
前記画像認識部によって画像認識された前記駐車スペースに係る情報を記憶する記憶部と、
前記画像認識部の画像認識によって認識されなかった不明部分が前記駐車スペースに存在する場合に、前記不明部分を、前記記憶部に記憶されている前記駐車スペースに係る情報に基づいて補完する補完部と、
を備えることを特徴とする駐車支援装置。
【請求項２】
画像認識された前記駐車スペースに基づいて前記車両の自動運転制御の制御量を生成し、前記車両を自動運転する自動運転機能部に前記制御量を出力する駐車制御部、を備え、
前記画像認識部は、前記駐車スペースの画像認識を繰り返し実行し、
前記記憶部は、前記駐車スペースが画像認識されるごとに、当該画像認識された駐車スペースに係る情報を更新し、
前記補完部は、前記駐車スペースが画像認識されるごとに、当該画像認識された駐車スペースに不明部分が含まれている場合に、前記記憶部に記憶されている前記駐車スペースに係る情報に基づいて当該不明部分を補完し、
前記駐車制御部は、前記駐車スペースが画像認識されるごとに、前記駐車スペースに基づいて前記自動運転制御の制御量を生成する
ことを特徴とする請求項１に記載の駐車支援装置。
【請求項３】
前記画像認識部は、前記駐車スペースの車幅方向を区画する一対の駐車区画線を画像認識することで前記駐車スペースを画像認識する
ことを特徴とする請求項１または２記載の駐車支援装置。
【請求項４】
前記駐車スペースに係る情報には、前記駐車スペースの車幅方向の幅、前記駐車区画線の頂点の位置、及び、前記駐車区画線の平面視形状を含むことを特徴とする請求項３に記載の駐車支援装置。
【請求項５】
前記画像認識部は、前記車両の周囲を撮像した前記撮像画像に基づいて画像認識することを特徴とする請求項１から４のいずれかに記載の駐車支援装置。
【発明の詳細な説明】
【技術分野】
【０００１】
本発明は、駐車支援装置に関する。
【背景技術】
【０００２】
従来、車両を自動運転して駐車スペースに自動的に駐車させる駐車支援装置が知られている（例えば、特許文献１参照）。この種の駐車支援装置は、一般に、車両の駐車スペースをカメラの撮像画像に基づいて画像認識し、駐車スペースと自車両位置との位置関係に基づいて車両を自動運転制御する。また駐車支援装置は、自動運転制御の間、駐車スペースの画像認識を繰り返し実施し、駐車スペースと自車両位置との位置関係を画像認識結果に基づいて逐次更新し、この更新に基づいて自動運転制御の制御量を生成している。
【先行技術文献】
【特許文献】
【０００３】
【特許文献１】特開２０１５−７４２５４号公報
【発明の概要】
【発明が解決しようとする課題】
【０００４】
ところで、自動運転制御の間、駐車スペースの全体を常に正常に画像認識できるとは限らない。すなわち、車両の自動運転制御中に、強い日差しがカメラに入り込む等して撮像画像に写った駐車スペースに不鮮明な箇所が生じる場合があり、駐車スペースの一部が画像認識で認識できないときがある。この場合、従来にあっては、駐車スペースの全体が特定されないため、駐車スペースと自車両位置との位置関係を更新しておらず、自動運転制御の制御量に誤差を生じさせ、駐車スペースへの駐車の正確性を低下させる要因になっている。
【０００５】
本発明は、車両を駐車スペースに正確に駐車させることができる駐車支援装置を提供することを目的とする。
【課題を解決するための手段】
【０００６】
本発明は、駐車スペースへの車両の駐車を支援する駐車支援装置であって、前記車両の周囲を撮像した撮像画像に基づいて駐車スペースを画像認識する画像認識部と、前記画像認識部によって画像認識された前記駐車スペースに係る情報を記憶する記憶部と、前記画像認識部の画像認識によって認識されなかった不明部分が前記駐車スペースに存在する場合に、前記不明部分を、前記記憶部に記憶されている前記駐車スペースに係る情報に基づいて補完する補完部と、を備えることを特徴とする。
【０００７】
本発明は、上記駐車支援装置において、画像認識された前記駐車スペースに基づいて前記車両の自動運転制御の制御量を生成し、前記車両を自動運転する自動運転機能部に前記制御量を出力する駐車制御部、を備え、前記画像認識部は、前記駐車スペースの画像認識を繰り返し実行し、前記記憶部は、前記駐車スペースが画像認識されるごとに、当該画像認識された駐車スペースに係る情報を更新し、前記補完部は、前記駐車スペースが画像認識されるごとに、当該画像認識された駐車スペースに不明部分が含まれている場合に、前記記憶部に記憶されている前記駐車スペースに係る情報に基づいて当該不明部分を補完し、前記駐車制御部は、前記駐車スペースが画像認識されるごとに、前記駐車スペースに基づいて前記自動運転制御の制御量を生成することを特徴とする。
【０００８】
本発明は、上記駐車支援装置において、前記画像認識部は、前記駐車スペースの車幅方向を区画する一対の駐車区画線を画像認識することで前記駐車スペースを画像認識することを特徴とする。
【０００９】
本発明は、上記駐車支援装置において、前記駐車スペースに係る情報には、前記駐車スペースの車幅方向の幅、前記駐車区画線の頂点の位置、及び、前記駐車区画線の平面視形状を含むことを特徴とする。
【００１０】
本発明は、上記駐車支援装置において、前記画像認識部は、前記車両の周囲を撮像した前記撮像画像に基づいて画像認識することを特徴とする。
【発明の効果】
【００１１】
本発明によれば、車両を駐車スペースに正確に駐車させることができる。
【図面の簡単な説明】
【００１２】
【図１】本発明の実施形態の駐車支援装置を備えた車載システムの構成を示す図である。
【図２】駐車支援装置の機能的構成を示すブロック図である。
【図３】駐車支援動作のシーケンスチャートである。
【図４】タッチパネルディスプレイ１４の表示例を示す図であり、（Ａ）は撮像画像の表示例であり、（Ｂ）は俯瞰画像の表示例を示す。
【発明を実施するための形態】
【００１３】
以下、図面を参照して本発明の実施形態について説明する。
図１は、本実施形態の駐車支援システムＡの構成を駐車スペース２とともに模式的に示す図である。
駐車支援システムＡは、車両４に設けられた車載システムであり、車両４を自動運転制御して、車両４の乗員が選択した駐車スペース２に車両４を自動的に駐車させる機能を有する。具体的には、駐車支援システムＡは、ＣＡＮ（Controller Area Network）６と、カメラＥＣＵ（Electronic Control Unit）８と、ＡＤＡＳ（Advanced Driver Assistance System）ユニット７と、駐車支援装置１とを備える。ＣＡＮ６は、車両４に設けられた車載ネットワークであり、ＣＡＮ６には、カメラＥＣＵ８、ＡＤＡＳユニット７、及び駐車支援装置１が接続され、双方向に通信可能になっている。
【００１４】
カメラＥＣＵ８は、マイクロプロセッサやＲＯＭ、ＲＡＭ、入出力インターフェース、などを備えた電気制御ユニットである。カメラＥＣＵ８には、４台のカメラ１２が接続されており、カメラＥＣＵ８は、これらのカメラ１２の撮像を制御する。
【００１５】
カメラ１２のそれぞれは、カメラＥＣＵ８の制御の下、車両４の周囲を撮像する撮像装置であり、各カメラ１２の撮像画像１７（図４）は、ＣＡＮ６を通じて駐車支援装置１に送信される。これらカメラ１２の撮像画像１７は、駐車支援装置１において、車両４の上方から当該車両４を俯瞰した俯瞰画像１８（図４）を生成するために用いられる。本実施形態では、俯瞰画像１８の生成に必要な撮像画像１７を得るために、１台のカメラ１２が車両４の前端部（例えば、フロントバンパ）の車幅方向中央から前方を撮像し、他の１台のカメラ１２が車両４の後端部（例えばリアバンパ）の車幅方向中央から後方を撮像し、他の１台のカメラ１２が車両４の右側部（例えば右ドアミラー）から右側方を撮像し、残り１台のカメラ１２が車両４の左側部（例えば左ドアミラー）から左側方を撮像する。
【００１６】
ＡＤＡＳユニット７は、他車両や障害物などとの衝突を回避しつつ、車両４を自動駆動、自動制動、及び自動操舵することで自動運転を実現する自動運転機能部７Ａを有し、当該自動運転を実現するためのＥＣＵや、各種のセンサを備える。また自動運転機能部７Ａは、自動運転制御の制御量を含む制御量情報１９（図２）を駐車支援装置１から受信した場合、当該制御量情報１９に基づき車両４を自動運転する。
【００１７】
駐車支援装置１は、カメラ１２の撮像画像１７、及びＡＤＡＳユニット７を用いて、乗員が選択した駐車スペース２に車両４を自動運転により駐車させる装置である。駐車支援装置１は、ＣＰＵやＭＰＵなどのプロセッサと、ＲＡＭやＲＯＭ等のメモリデバイスと、ＣＡＮ６や周辺機器を接続するインターフェース部と、ＨＤＤやＳＳＤ等のストレージデバイスと、を備えたコンピュータを有し、メモリデバイスやストレージデバイスに格納されたプログラムをプロセッサが実行することで各種の機能を実現する。
【００１８】
駐車支援装置１には、周辺機器としてタッチパネルディスプレイ１４が接続されている。タッチパネルディスプレイ１４は、各カメラ１２の撮像画像１７や俯瞰画像１８などの各種画像や情報を表示する表示装置、及び、ユーザ操作を受け付ける操作装置である。駐車支援装置１には、タッチパネルディスプレイ１４の他にも例えばスピーカ等の任意の周辺機器を接続することができる。
【００１９】
なお、駐車支援システムＡには、例えば、エンジンを含むパワートレインの動作を制御するＥＣＵや、変速機を制御するＥＣＵ、電装品を制御するＥＣＵといった、機能や用途に応じた各種のＥＣＵ、各種のセンサ、及びＴＣＵ（Telematics Communication Unit）等の通信ユニットを適宜に設けることができる。
【００２０】
図２は、駐車支援装置１の機能的構成を示すブロック図である。
駐車支援装置１は、駐車スペース２を乗員に選択させる選択部２０と、選択された駐車スペース２（以下、「目標駐車スペース」と言い、符号２Ａを付す）を画像認識により特定する画像認識部２２と、画像認識された目標駐車スペース２Ａから得られる当該目標駐車スペース２Ａの情報を格納する記憶部２３と、ＡＤＡＳユニット７を用いて車両４を自動運転して目標駐車スペース２Ａに駐車させる駐車制御部２４と、を備える。
さらに、駐車支援装置１は、目標駐車スペース２Ａの一部に不明部分３４（図３）が含まれる場合に、当該不明部分３４を補完する補完部２６を備える。これらの機能は、駐車支援装置１のプロセッサが所定のコンピュータプログラムを実行することで実現される。
【００２１】
選択部２０は、カメラ１２の撮像画像１７をタッチパネルディスプレイ１４に表示し、当該撮像画像１７に写った駐車スペース２の中から所望の目標駐車スペース２Ａを乗員に選択させる。
【００２２】
画像認識部２２は、目標駐車スペース２Ａを画像認識し、画像認識結果を駐車制御部２４に出力する。
詳述すると、車両１台分の駐車スペース２は、前掲図１に示すように平面視矩形を成し、少なくとも車幅方向Ｍの境界Ｋ１が車両全長方向Ｎに延びる一対の駐車区画線３０で区画され、車両全長方向Ｎの境界Ｋ２が一対の駐車区画線３０の各頂点３２によって規定される。換言すれば、一対の駐車区画線３０により、境界Ｋ１、Ｋ２が特定され、駐車スペース２の全体が特定可能となるため、画像認識部２２は、目標駐車スペース２Ａの画像認識として、一対の駐車区画線３０を画像認識する。
【００２３】
また画像認識部２２は、各カメラ１２の撮像画像１７に基づいて俯瞰画像１８を生成する俯瞰画像生成部２８を備え、当該俯瞰画像１８を対象にして目標駐車スペース２Ａの一対の駐車区画線３０を画像認識している。俯瞰画像１８は、車両４の前方、後方、右側方、及び左側方を撮影した各撮像画像１７を、車両４を上方から視た画像に変換し、変換後の各画像を車両４の位置（例えば中心Ｏ：図４）を基準に合成した画像である。
【００２４】
さらに画像認識部２２は、画像認識された一対の駐車区画線３０に基づいて駐車スペース情報４０を特定し、記憶部２３に格納する。駐車スペース情報４０は、後述する補完に用いられる情報であり、少なくとも頂点位置の情報と、駐車スペース幅Ｗの情報と、駐車区画線形状の情報と、を含んでいる。
頂点位置は、目標駐車スペース２Ａの各頂点３２（図１）の位置であり、車両４を基準にした相対位置として特定されている。
駐車スペース幅Ｗは、目標駐車スペース２Ａの幅（図１）である。
駐車区画線形状は、駐車区画線３０の平面視形状である。駐車区画線３０の平面視形状の例としては、例えば図１に示すようなＵ字形状の他に、１本の線で駐車区画線３０が描かれた直線形状（図４）、端点（上記頂点３２に相当する位置）がＴ字状に描かれたＴ字形状などが挙げられる。
【００２５】
画像認識部２２は、車両４の駐車支援動作の間、目標駐車スペース２Ａの画像認識を繰り返し実行し、画像認識の度に、記憶部２３の駐車スペース情報４０が更新記憶される。この場合において、駐車スペース情報４０の更新記憶に際し、特定不能な頂点３２が存在したときには、その頂点３２については、その旨（例えば「NULL値」等）が記憶される。
【００２６】
なお、画像認識の繰り返し間隔は、少なくとも車両４の駐車のための自動運転制御に支障を来すことがない間隔であれば任意である。
また駐車スペース幅Ｗ、及び駐車区画線３０の平面視形状については、車両４と目標駐車スペース２Ａの位置関係に依らずに不変であるため、これらが確定的に特定された後は、画像認識部２２は、これらを更新しない。例えば、画像認識部２２は、駐車スペース幅Ｗ、及び駐車区画線３０の平面視形状の特定結果を一定数集計し、集計結果に基づいて、駐車スペース幅Ｗ、及び駐車区画線３０を確定する。なお、駐車スペース幅Ｗ、及び駐車区画線３０の平面視形状を確定する手法は、これに限らず、任意の手法が用いられる。
【００２７】
駐車制御部２４は、ＡＤＡＳユニット７の自動運転機能部７Ａを用いて、車両４が目標駐車スペース２Ａの範囲（すなわち、境界Ｋ１、Ｋ２で区画される範囲）に収まるように車両４を自動運転する。
具体的には、駐車制御部２４は、画像認識された目標駐車スペース２Ａに基づいて、車両４と目標駐車スペース２Ａ（より正確には、境界Ｋ１、Ｋ２）との相対位置関係を特定し、当該相対位置関係に基づいて、目標駐車スペース２Ａの範囲に収まるように車両４を自動運転制御するための制御量（例えば、舵角、車速、前進／後退）を生成し、この制御量を含む制御量情報１９をＡＤＡＳユニット７に送信する。
ＡＤＡＳユニット７が制御量情報１９に基づいて車両４を自動運転制御することで、車両４が目標駐車スペース２Ａの範囲に収まるように自動的に走行することになる。
なお、駐車制御部２４は、車両４と目標駐車スペース２Ａの相対位置を特定するに際し、車両４の位置情報をＡＤＡＳユニット７、或いは、他の自車位置検出装置（例えばＧＰＳ）などから取得する。
【００２８】
上述の通り、目標駐車スペース２Ａは、俯瞰画像１８に基づいて画像認識されるので、各撮像画像１７を用いる場合に比べ、車両４と目標駐車スペース２Ａとの相対位置関係を精度良く特定できる。
【００２９】
また駐車制御部２４は、車両４を自動運転制御する間、目標駐車スペース２Ａの一対の駐車区画線３０が画像認識されるごとに、画像認識により特定された目標駐車スペース２Ａ（境界Ｋ１、Ｋ２）と車両４との相対位置関係を特定し、当該相対位置関係に基づいて制御量を生成し、制御量情報１９をＡＤＡＳユニット７に送信する。これにより、目標駐車スペース２Ａの画像認識の度に、そのときの車両４と目標駐車スペース２Ａとの相対位置関係に即した制御量が生成され、制御量の誤差の蓄積が抑えられる。
【００３０】
補完部２６は、画像認識部２２によって画像認識された一対の駐車区画線３０に不明部分３４が生じた場合に、当該不明部分３４を駐車スペース情報４０に基づいて補完し、補完結果を画像認識部２２に出力する。画像認識部２２では、駐車区画線３０が補完部２６によって補完された場合には、補完された一対の駐車区画線３０を画像認識の結果として駐車制御部２４に出力する。
【００３１】
例えば、画像認識された一対の駐車区画線３０のいずれかが不明部分３４を含み、その不明部分３４が、駐車区画線３０の途中である場合、補完部２６は、駐車区画線３０の平面視形状と、不明部分３４を含む駐車区画線３０の頂点位置と、に基づいて、駐車区画線３０の不明部分３４を補完する。
【００３２】
また例えば、不明部分３４が一対の駐車区画線３０の各頂点３２のいずれかを含む場合、補完部２６は、目標駐車スペース２Ａが矩形である前提の下、判明している頂点３２の頂点位置と、駐車区画線３０の平面形状と、に基づいて、駐車区画線３０の不明部分３４の頂点３２を補完する。
なお、頂点３２が不明部分３４であるか否かは、例えば、俯瞰画像１８に写った駐車区画線３０の形状と、前回までに特定されている駐車区画線形状との一致性に基づいて判断される。
【００３３】
また例えば、画像認識された一対の駐車区画線３０のいずれか一方が全て不明部分３４となった場合、補完部２６は、目標駐車スペース２Ａが矩形であるという前提の下、認識されている方の駐車区画線３０の頂点３２の位置と、駐車区画線３０の平面形状と、駐車スペース幅Ｗとに基づいて、不明部分３４を補完する。
【００３４】
次いで、駐車支援装置１による駐車支援動作を説明する。
【００３５】
図３は、駐車支援動作のシーケンスチャートである。
駐車支援動作は、例えば、車両４の乗員がタッチパネルディスプレイ１４の所定ボタンをタッチ操作すると開始し、駐車が完了に伴って終了する。
【００３６】
動作支援動作にあっては、図３に示すように、駐車支援装置１の選択部２０が先ず、カメラ１２の撮像画像をタッチパネルディスプレイ１４に表示し、乗員による目標駐車スペース２Ａの選択を待ち受ける（ステップＳ１）。ステップＳ１において、選択部２０は、タッチパネルディスプレイ１４に、例えば図４（Ａ）に示すように、４台のカメラ１２の各々の撮像画像１７を同時に表示してもよいし、図４（Ｂ）に示すように、俯瞰画像生成部２８が生成する俯瞰画像１８を表示してもよい。
【００３７】
目標駐車スペース２Ａが選択された場合（ステップＳ１：ＹＥＳ）、画像認識部２２が俯瞰画像１８に基づいて、目標駐車スペース２Ａを構成する一対の駐車区画線３０を画像認識し（ステップＳ２）、認識結果に基づいて駐車スペース情報４０を特定して記憶部２３に格納する（ステップＳ３）。
次いで、一対の駐車区画線３０のいずれかに不明部分３４が存在しているか否かを補完部２６が判断し（ステップＳ４）、不明部分３４が存在している場合（ステップＳ４：ＹＥＳ）、補完部２６は駐車スペース情報４０に基づいて、駐車区画線３０の不明部分３４を補完する（ステップＳ５）。
【００３８】
図４の図示例では、車両４の右前方の駐車スペース２が目標駐車スペース２Ａに選択されているものの、一対の駐車区画線３０のうち、車両４に近い側の駐車区画線３０が画像認識により認識されずに不明部分３４となっている。
【００３９】
かかる不明部分３４は、例えばカメラ１２に太陽光等の強い光が一時的に入り込んだり、駐車区画線３０上に壁等の影を含んだり、駐車区画線３０が物体（例えば車両等）で覆われている等して、俯瞰画像１８の駐車区画線３０に不鮮明、或いは他の物体で隠れた箇所が生じることで発生する。
かかる不明部分３４が生じている場合は、上述の通り、駐車スペース情報４０（図４の例では、特定されている駐車区画線３０の頂点３２の頂点位置、駐車区画線３０の平面形状、及び、駐車スペース幅Ｗ）に基づいて不明部分３４が補完部２６によって補完されることとなる。
【００４０】
図３に戻り、画像認識部２２により一対の駐車区画線３０が画像認識されると、駐車制御部２４が、一対の駐車区画線３０に基づいて、目標駐車スペース２Ａ（境界Ｋ１、Ｋ２）と車両４との相対位置関係を特定し、当該相対位置関係に基づいて、自動運転制御の制御量を生成し、制御量情報１９をＡＤＡＳユニット７に出力する（ステップＳ６）。そしてＡＤＡＳユニット７が、制御量情報１９に基づいて車両４を自動運転制御することで、目標駐車スペース２Ａに収まるように車両４が自動的に運転される（ステップＳ７）。
【００４１】
上述の通り、画像認識された一対の駐車区画線３０に不明部分３４が含まれていても（ステップＳ４：ＹＥＳ）、補完部２６によって不明部分３４がステップＳ５で補完され、目標駐車スペース２Ａを特定可能になるので、続くステップＳ６でも、駐車制御部２４が制御量を生成可能となる。これにより、画像認識された目標駐車スペース２Ａに不明部分３４が存在する場合には制御量の更新をスキップする従前の構成に比べ、制御量の誤差を抑え、高精度に車両４を目標駐車スペース２Ａに収まるように自動運転することができる。
【００４２】
駐車支援装置１は、駐車が完了するまで（ステップＳ８：ＹＥＳ）、ステップＳ２からステップＳ６までの処理を繰り返し実行する。なお、駐車の完了は、例えば、目標駐車スペース２Ａの範囲内に車両４が収まったか否かによって判断される。
【００４３】
上述した実施形態によれば、次のような効果を奏する。
【００４４】
本実施形態の駐車支援装置１によれば、画像認識部２２の画像認識により認識されなかった不明部分３４が目標駐車スペース２Ａに存在する場合に、不明部分３４を、記憶部２３に記憶された駐車スペース情報４０に基づいて補完する構成とした。
これにより、画像認識の結果、目標駐車スペース２Ａが不明部分３４を含む場合でも、不明部分３４の補完により目標駐車スペース２Ａが特定されるので、当該目標駐車スペース２Ａに基づいて、車両４を目標駐車スペース２Ａに正確に駐車させることができる。
【００４５】
本実施形態の駐車支援装置１では、画像認識部２２が目標駐車スペース２Ａの画像認識を実行するごとに駐車スペース情報４０を更新し、また、画像認識された目標駐車スペース２Ａに不明部分３４が含まれている場合には、当該不明部分３４を補完部２６が駐車スペース情報４０に基づいて補完する構成とした。
これにより、自動運転制御の間、撮像画像１７に不鮮明な箇所が生じ、画像認識された目標駐車スペース２Ａに不明部分３４が生じた場合でも、補完により目標駐車スペース２Ａの全体が特定されるので、駐車制御部２４は、補完された目標駐車スペース２Ａに基づいて、自動運転制御の制御量の生成を継続できる。この結果、自動運転制御の間、制御量に生じる誤差が抑えられ、車両４を目標駐車スペース２Ａにより正確に駐車させることができる。
【００４６】
本実施形態の駐車支援装置１では、目標駐車スペース２Ａの車幅方向Ｍを区画する一対の駐車区画線３０を当該目標駐車スペース２Ａとして画像認識する構成としたので、一対の駐車区画線３０を画像認識するだけで、矩形の目標駐車スペース２Ａの全体（境界Ｋ１、Ｋ２）を簡単に特定できる。
【００４７】
本実施形態の駐車支援装置１では、駐車スペース情報４０には、目標駐車スペース２Ａの車幅方向Ｍの駐車スペース幅Ｗ、駐車区画線３０の頂点３２の位置、及び、駐車区画線３０の平面視形状を含むようにした。
これにより、一対の駐車区画線３０が不明部分３４を含む場合でも、精度よく、不明部分３４を補完できる。
【００４８】
本実施形態の駐車支援装置１では、車両４の周囲を撮像した撮像画像１７に基づいて生成された俯瞰画像１８に基づいて画像認識するため、目標駐車スペース２Ａと車両４との相対位置関係を高精度に特定できる。
【００４９】
上述した実施形態は、あくまでも本発明の一態様を例示したものであって、本発明の趣旨を逸脱しない範囲で任意に変形、及び応用が可能である。
【００５０】
上述した実施形態において、駐車スペース２が道路の路肩に設けられており、一対の駐車区画線３０のいずれか一方が路肩を区画している物体（例えば縁石など）である場合には、当該物体が駐車区画線３０と見做されてもよい。
【００５１】
上述した実施形態において、一対の駐車区画線３０の一方が他の車両の下に隠れている等して、画像認識が一定数以上繰り返し行われても駐車スペース幅Ｗ、或いは、駐車区画線３０の平面視形状が特定できない場合、駐車支援装置１は、自動運転制御を実行せずに、乗員にエラーを通知してもよい。
【００５２】
図２に示す機能ブロックは、本願発明を理解容易にするために、駐車支援装置１の構成要素を主な処理内容に応じて分類して示した概略図であり、これらの構成要素は、処理内容に応じて、さらに多くの構成要素に分類することもできる。また、１つの構成要素がさらに多くの処理を実行するように分類することもできる。
【００５３】
また、図２に示す駐車支援装置１の各構成要素の処理は、１つのハードウェアで実行されてもよいし、複数のハードウェアにより実行されてもよい。また、各構成要素の処理は、１つのプログラムで実現されてもよいし、複数のプログラムで実現されてもよい。
【００５４】
また、図３のシーケンスチャートの処理単位は、駐車支援装置１による処理の理解を容易にするために、主な処理内容に応じて分割したものである。処理単位の分割の仕方や名称によって、本願発明が制限されることはない。駐車支援装置１の処理は、処理内容に応じて、さらに多くの処理単位に分割することもできる。また、１つの処理単位がさらに多くの処理を含むように分割することもできる。また、同様の処理結果が得られるものであれば、図３の処理順序も、図示した例に限られるものではない。
【符号の説明】
【００５５】
１  駐車支援装置
２  駐車スペース
２Ａ  目標駐車スペース
４  車両
７Ａ  自動運転機能部
１２  カメラ
１７  撮像画像
１８  俯瞰画像
１９  制御量情報
２２  画像認識部
２３  記憶部
２４  駐車制御部
２６  補完部
３０  駐車区画線
３２  頂点
３４  不明部分
４０  駐車スペース情報
Ａ  駐車支援システム
Ｍ  車幅方向
Ｎ  車両全長方向
Ｗ  駐車スペース幅
【図１】
2019188958.tif 000003
【図２】
2019188958.tif 000004
【図３】
2019188958.tif 000005
【図４】
2019188958.tif 000006